(57)【要約】【課題】電解コンデンサの寿命末期時に電解液の蒸発ガスが機器ケースの外部に噴出するのを抑制し、使用者の誤認を防止できる電気機器を提供することを目的とする。【解決手段】回路部品を有する電気回路が収納された機器ケース４と、回路部品として電気回路に設けられ、電解液を含むコンデンサ素子１０ａと、このコンデンサ素子１０ａを密封状態に収納するとともに内部圧力が所定以上になった場合に電解液の蒸発ガスを噴出する安全弁１６が設けられたケース１３とを備えた電解コンデンサ１０と、機器ケース４に設けられ、機器ケース４外への電解液の蒸発ガスの流出を抑制する制御手段２０とを具備する電気機器である。【選択図】図４
2010027877.tif 000002
【特許請求の範囲】
【請求項１】
回路部品を有する電気回路が収納された機器ケースと；
回路部品として電気回路に設けられ、電解液を含むコンデンサ素子と、このコンデンサ素子を密封状態に収納するとともに内部圧力が所定以上になった場合に電解液の蒸発ガスを噴出する安全弁が設けられたケースとを備えた電解コンデンサと；
機器ケースに設けられ、機器ケース外への電解液の蒸発ガスの流出を抑制する制御手段と；
を具備することを特徴とする電気機器。
【請求項２】
機器ケースは、端部側に通気口を有する箱形容器状に形成されており、前記制御手段は、機器ケースの通気口に配設された多数の通気路を有するフィルタ手段であることを特徴とする請求項１に記載の電気機器。
【請求項３】
前記制御手段は、回路部品を覆って絶縁する絶縁シートを利用して構成されていることを特徴とする請求項１に記載の電気機器。
【請求項４】
前記電気回路は、光源を点灯させる点灯回路であることを特徴とする請求項１乃至請求項３のいずれか一に記載の電気機器。
【発明の詳細な説明】
【技術分野】
【０００１】
本発明は、電解コンデンサを用いる電気回路を備えた電気機器に関する。
【背景技術】
【０００２】
従来、電気機器として、例えば、放電灯を点灯させる点灯装置は、一般的には、フィルタ回路、整流平滑回路、高周波変換回路及びランプ点灯回路等から構成され、これら点灯回路は金属製の機器ケース内に収納されている。整流平滑回路には、直流電源の平滑のため電解コンデンサが接続されており、電解コンデンサは、例えば、陽極箔と陰極箔からなる一対の電極間に電解紙を挟み巻回した電解コンデンサ素子に電解液を含浸させ、この含浸済みの素子に封口ゴムを取付け、有底筒状のケース内に入れて封止されている。
【０００３】
電解コンデンサは、経年変化に伴って、電解液が蒸発して減少し、寿命末期には、電解液の減少による容量低下に加えて電解液の等価直列抵抗（ＥＳＲ）が上昇し、温度上昇する。やがて、リップル電流により発熱が大きくなり、熱暴走を引き起こし、急激に温度上昇し、電解液の沸点を超えて電解液の蒸発ガスの圧力でケースが破裂する虞がある。そのためケースの一部に安全弁が設けられたものがあり、電解液の蒸発ガスでケース内の圧力が所定圧力以上に達した場合、安全弁が作動し、電解液の蒸発ガスを外部に噴出させ、ケースが破裂するのを防止するようにしている（例えば、特許文献１及び特許文献２参照）。
【特許文献１】実公平２−３１７８３号公報
【特許文献２】実公平２−４６０４１号公報
【発明の開示】
【発明が解決しようとする課題】
【０００４】
しかしながら、電解コンデンサにおいて、安全弁が作動することは、ケース内の異常な圧力上昇を抑えることを目的とした正常な動作であるが、外部に噴出した電解液の蒸発ガスが煙に見えることから、使用者が焼損による発煙と誤認し、火災と判断してしまいやすい現象を呈する。
【０００５】
本発明は、上記事情に鑑みなされたもので、電解コンデンサの寿命末期時に電解液の蒸発ガスが機器ケースの外部に噴出するのを抑制し、使用者の誤認を防止できる電気機器を提供することを目的とする。
【課題を解決するための手段】
【０００６】
請求項１に記載の電気機器は、回路部品を有する電気回路が収納された機器ケースと；回路部品として電気回路に設けられ、電解液を含むコンデンサ素子と、このコンデンサ素子を密封状態に収納するとともに内部圧力が所定以上になった場合に電解液の蒸発ガスを噴出する安全弁が設けられたケースとを備えた電解コンデンサと；機器ケースに設けられ、機器ケース外への電解液の蒸発ガスの流出を抑制する制御手段と；を具備することを特徴とする。
【０００７】
電気回路は、例えば、光源の点灯回路やモータの駆動回路等があるが、格別限定されるものではない。回路部品には、例えば、電解コンデンサ等のコンデンサ、チョークコイル等の巻線部品、トランジスタ等のスイッチング素子等、電気回路を構成するうえで必要な部品が含まれる。機器ケースは、装置や器具のシャーシが兼ねていてもよく、例えば、照明器具のシャーシ等により電気回路がカバーされている場合は、当該シャーシ等が機器ケースに該当する。安全弁は、ケースの内部圧力が所定以上になった場合に電解液の蒸発ガスを逃がす機能を有していればよく、その形態は格別限定されるものではない。制御手段は、蒸発ガスをその通過により、主として液状化させる機能を有するものや前記蒸発ガスを機器ケース内で封じるために構成されたもの等であり、前記蒸発ガスが完全に機器ケース外に流出しないものばかりではなく、前記蒸発ガスの一部が機器ケース外に流出する程度に制御するものを含むものである。また、「機器ケースに設けられ」とは、制御手段が機器ケースに直接的に取付けられているような場合ばかりではなく、電解コンデンサに取付けられているような場合も含まれる。
【０００８】
請求項２に記載の電気機器は、請求項１に記載の電気機器において、機器ケースは、端部側に通気口を有する箱形容器状に形成されており、前記制御手段は、機器ケースの通気口に配設された多数の通気路を有するフィルタ手段であることを特徴とする。通気口とは、機器ケースの隙間等を意味する。
【０００９】
請求項３に記載の電気機器は、請求項１に記載の電気機器において、前記制御手段は、回路部品を覆って絶縁する絶縁シートを利用して構成されていることを特徴とする。「絶縁シートを利用」とは、絶縁シート自体の形状を加工等して、絶縁シート自体に前記蒸発ガスを液状化させる機能を持たせること及び絶縁シートを用いて、前記蒸発ガスを封じる領域を構成することを含むものである。
【００１０】
請求項４に記載の電気機器は、請求項１乃至請求項３のいずれか一に記載の電気機器において、前記電気回路は、光源を点灯させる点灯回路であることを特徴とする。光源は、蛍光ランプ、高輝度放電ランプ等いずれも適用可能である。
【発明の効果】
【００１１】
請求項１に記載の発明によれば、電解コンデンサの寿命末期時に安全弁が作動した場合、電解液の蒸発ガスが機器ケース外に流出するのを抑制し、使用者が火災であると誤認することを防止できる。
【００１２】
請求項２に記載の発明によれば、請求項１の発明の効果に加え、回路部品の温度上昇の抑制効果も奏することができる。
【００１３】
請求項３に記載の発明によれば、請求項１の発明の効果に加え、制御手段は絶縁シートを利用して構成されているので、部品点数の増加を招くことがない。
【００１４】
請求項４に記載の発明によれば、点灯回路を用いた電気機器において、上記各請求項の効果を奏することが可能となる。
【発明を実施するための最良の形態】
【００１５】
以下、本発明の電気機器として第１の実施形態に係る点灯装置を図１乃至図６を参照して説明する。図１は、点灯装置の基本的構成を示す斜視図、図２は、同分解斜視図、図３は、電解コンデンサの基本的構成を示す平面図及び正面図、図４は、本実施形態の点灯装置の要部を示す斜視図、図５は、同点灯装置を示すブロック図、図６は、同点灯装置を適用した照明器具を示す斜視図である。なお、各実施形態において、同一又は相当部分には同一符号を付し重複した説明は省略する。
【００１６】
まず、点灯装置の基本的構成を説明する。図１及び図２に示すように、いわゆる電子安定器と称される点灯装置１は、ベースケース２及びカバーケース３とを組立ててなる機器ケースとしてのケース本体４と、ベース側及びカバー側の絶縁シート５、６と、点灯回路を構成する回路部品が実装されたプリント基板７とを備えている。ケース本体４は、箱形容器状に構成されている。ベースケース２は、アルミニウム合金製であり、幅方向の両側が折り曲げられて側壁２ａを有して、断面コ字状をなしている。カバーケース３は、同様にアルミニウム合金製であり、幅方向の両側が傾斜部を形成して折り曲げられて側壁３ａを有し、また、長手方向の両端が折り曲げられて端壁３ｂが形成されている。そして、これらは、カバーケース３の側壁３ａがその弾性力により、ベースケース２の側壁２ａの外面に密接するように重ねられて組合わされ、図示しない連結手段によって連結されてケース本体４を構成している。
【００１７】
ベース側及びカバー側の絶縁シート５、６は、ポリエステルフィルム等の電気絶縁材で形成されており、ベース側絶縁シート５は、ベースケース２の内面に沿って配設され、カバー側の絶縁シート６は、カバーケース３の内面に沿って配設されて回路部品が実装されたプリント基板７を覆うようになっている。プリント基板７は、ケース本体４内に収納され、その回路部品実装面には、電解コンデンサ１０等のコンデンサ、チョークコイル等の巻線部品、トランジスタ等のスイッチング素子、また、入出力用の端子台８など点灯回路を構成するうえで必要な部品が実装されている。
【００１８】
このように構成された点灯装置１は、通常、空気の対流を促進して回路部品の温度上昇を抑制するため、ベースケース２とカバーケース３の連結部等の隙間や放熱孔等の通気口の存在が許容されている。
【００１９】
次に、電解コンデンサ１０の基本的構成を説明する。図３（ａ）、（ｂ）において、電解コンデンサ１０は、ケース本体１２を備えている。ケース本体１２は、開口部１３ａを有する有底円筒状のアルミニウム製のケース１３、封口材としての封口ゴム１４及び熱収縮性の絶縁性スリーブ１５とを備えている。ケース１３内には、陽極箔と陰極箔からなる一対の電極間に電解紙を挟み巻回し、例えば、エチレングリコール系の電解液を含浸させた電解コンデンサ素子１０ａが収納されている。また、ケース１３の開口部１３ａには封口ゴム１４が挿入されており、封口ゴム１４に開口部１３ａをかしめてケース１３は封止、密封されている。
【００２０】
一方、ケース１３の開口部１３ａとは反対側の端面には、ケース１３の内部圧力が所定以上になった場合に、ケース３の一部が破れて電解液の蒸発ガスを外部に逃がす安全弁１６が設けられている。安全弁１６は、ケース３の内部圧力が所定以上になったときに破れるように、ケース１３にＹ字形の肉薄部を形成して構成されている。この肉薄部は、Ｘ字形やＫ字形に形成してもよい。また、ケース１３は、円筒状の絶縁性スリーブ１５によって外周表面が覆われている。絶縁性スリーブ１５は、定格電圧、静電容量、極性等が印刷されたＰＥＴ樹脂や塩化ビニル樹脂からなる熱収縮性のスリーブであり、ケース１３に被せた後、熱を加え、その収縮によってケース１３の外周表面に被覆されるものである。さらに、ケース１３の開口部１３ａ側には、陽極箔と陰極箔に接続され、封口ゴム１４を貫通したリード線１７が導出されている。
【００２１】
図４に示すように、本実施形態では、点灯装置１のカバーケース３の端壁３ｂとその側壁３ａやカバーケース３の端壁３ｂとベースケース２の側壁２ａ内側との間に形成される通気口としての隙間に制御手段２０として例えば、スチールウールや不織布等の繊維状の金属や樹脂部材が配設されている。したがって、制御手段２０は、実質的に多数の通気路を有するフィルタの機能をなしており、この制御手段２０は、ケース本体４の他の隙間や放熱孔にも配設されている。なお、制御手段２０としては、多孔質のスポンジやセラミックス部材を用いてもよい。
【００２２】
図５に示すように、点灯装置１は、電気回路として点灯回路３１を備えている。点灯回路３１は、フィルタ回路３２、整流平滑回路３３、高周波変換回路３４及びランプ点灯回路３５とから構成されており、ランプ点灯回路３５には光源としての蛍光ランプ３６が接続されるようになっている。フィルタ回路３２は、商用交流電源ＡＣに接続され、ノイズによる機器の誤動作や他の機器への障害を防止する機能をなし、整流平滑回路３３は、商用交流を整流平滑し、高周波変換回路３４は、直流を高周波に変換し、ランプ点灯回路３５は、ランプの始動、点灯維持機能を有する。ここで、整流平滑回路３３には、電解コンデンサ１０が用いられ、接続されている。
【００２３】
図６において、照明器具４０は、天井面に埋め込まれて設置される埋込形の器具であり、器具本体４１の長手方向の両端にソケット４２が取付けられおり、このソケット４２に光源としての直管形蛍光ランプ４６が接続されている。器具本体４１内には、前記点灯装置１が収納されている。
【００２４】
このように構成された点灯装置１に商用交流電源ＡＣを投入すると、フィルタ回路３２を通じて整流平滑回路３３の電解コンデンサ１０が充電され、高周波変換回路３４を介して、充電された電圧が高周波電圧として蛍光ランプ３６に供給され、蛍光ランプ３６が点灯する。ここで、電解コンデンサ１０に過電圧が加わった場合や寿命末期の異常時において、電解液の蒸発ガスでケース１３内の圧力が所定圧力以上に達した場合、ケース１３が破裂するのを防止するため安全弁１６が作動し、Ｙ字形の肉薄部が破れ、電解液の蒸発ガスが外部に噴出する。この噴出する煙状の蒸発ガスは、ケース本体４の隙間や放熱孔等の通気口からケース本体４外へ流出しようとするが、隙間や放熱孔には、制御手段２０が配設されているので、蒸発ガスは制御手段２０に接触して冷却され、結露して液化状態になる。したがって、蒸発ガスのままの状態で流出することは少なく、煙状での流出が抑制される。
【００２５】
以上のように本実施形態によれば、安全弁１６が作動し、電解液の蒸発ガスが噴出すると、制御手段２０により、蒸発ガスは、結露して液化状態になりやすくなり、蒸発ガスの外部への流出を抑制できる。これにより、安全弁１６が作動した場合に、使用者が火災であると誤認することを防止できる。また、制御手段２０は、通気口に設ければよく、格別に配置する場所を考慮する必要がないので製作が容易となる。さらに、制御手段２０は、実質的に多数の通気路を形成しているので、空気の対流にも寄与し、回路部品の温度上昇の抑制効果も奏することができる。
【００２６】
なお、上述のような制御手段２０を電解コンデンサ１０の安全弁１６を覆うように設けてもよい。この場合も、蒸発ガスは、制御手段２０に衝突 、接触し、冷却されて、液化状態とすることが可能である。
【００２７】
次に、本発明の第２の実施形態に係る点灯装置について図７を参照して説明する。図７は、点灯装置の要部を示す模式的説明図である。本実施形態では、電解コンデンサ１０を覆うように制御手段２０を配設したものである。
【００２８】
（実施例１）図７（ａ）に示すように、プリント基板７に実装された電解コンデンサ１０の外周を覆うように円筒状の制御手段２０を設けたものである。制御手段２０は、合成樹脂製の絶縁シートやアルミニウム箔等で形成することができ、特段その材料は限定されるものではない。本実施例によれば、安全弁１６が作動し、電解液の蒸発ガスが外部に噴出すると、蒸発ガスは、制御手段２０の下端部とプリント基板７との間隙へ向かい流れるが、その流出過程において、制御手段２０の内側で蒸発ガスの粒子同士が衝突し、また、制御手段２０の内面に接触して冷却され、凝縮、液状化される。したがって、蒸発ガスのままの状態で制御手段２０の下端部とプリント基板７との間隙から流出することが少なくなり、ケース本体４から煙状での流出が抑制される。なお、制御手段２０を熱伝導性の材料で形成することにより、放熱性が促進され、蒸発ガスが冷却され、液状化する効果が高まる。
【００２９】
（実施例２）図７（ｂ）に示すように、プリント基板７に実装された電解コンデンサ１０の外周を覆うように円錐状の制御手段２０を設けたものである。本実施例によれば、実施例１と同様な作用効果を奏することができる。したがって、制御手段２０は、電解コンデンサ１０の外周を覆うことができれば、種々の形状を選択できるものである。
【００３０】
次に、本発明の第３の実施形態に係る点灯装置について図８を参照して説明する。図８は、点灯装置の要部を示す模式的説明図である。本実施形態では、電解コンデンサ１０の安全弁１６を覆い、かつ迂回した流路を形成すように制御手段２０を構成したものである。
【００３１】
（実施例１）図８（ａ）に示すように、制御手段２０は、蛇腹状の導管で形成され、電解コンデンサ１０の安全弁１６部から蛇行状にケース本体４内に配設されている。本実施例によれば、安全弁１６が作動し、電解液の蒸発ガスが外部に噴出すると、蒸発ガスは、直接ケース本体４の隙間や放熱孔等に向かうことなく、制御手段２０の導管内を迂回して流れ、その流出過程において導管内の蛇腹状部分に衝突し、流れの方向が拡散され、粒子同士が衝突し、また、導管の内面に接触して冷却され、凝縮、液状化Ｗされる。さらに、この導管を長く設定すれば、その効果は一層高まる。したがって、蒸発ガスの煙状でのケース本体４からの流出が抑制される。
【００３２】
（実施例２）図８（ｂ）に示すように、本実施例では、電解コンデンサ１０をプリント基板７に横向きに実装している。そして、実施例１と同様に、制御手段２０は、蛇腹状の導管で形成され、電解コンデンサ１０の安全弁１６部から蛇行状にケース本体４内に配設されている。本実施例においても実施例１と同様な作用効果を奏することができる。
【００３３】
次に、本発明の第４の実施形態に係る点灯装置について図９を参照して説明する。図９は、点灯装置を示す模式的側面図及び平面図である。本実施形態では、制御手段２０を絶縁シート６ａで構成したものである。この絶縁シート６ａは、図２におけるカバー側の絶縁シート６に相当している。絶縁シート６ａは、電解コンデンサ１０を含め、各回路部品を区画するように仕切って、断面波状に形成されている（図９（ａ）参照）。
【００３４】
本実施形態によれば、安全弁１６が作動し、電解液の蒸発ガスが外部に噴出すると、蒸発ガスは、絶縁シート６ａの内面に沿って迂回して流れ、その流出過程において、粒子同士が衝突し、また、絶縁シート６ａの内面に接触して冷却され、凝縮、液状化される。したがって、蒸発ガスの煙状でのケース本体４からの流出が抑制される。さらに、制御手段２０として、絶縁シート６ａを用い特別に別部材を設けていないので、構成を簡素化することが可能となる。なお、絶縁シート６ａに替えて、制御手段２０を特別に別部材で波状のシート等によって構成することを妨げるものではない。
【００３５】
次に、本発明の第５の実施形態に係る点灯装置について図１０を参照して説明する。図１０は、点灯装置を示す模式的平面図及び要部を取出して示す平面図である。本実施形態では、制御手段２０を遮蔽体２１によって構成したものである。電解コンデンサ１０の両側には、遮蔽体２１が設けられており、この遮蔽体２１は、電解コンデンサ１０の側面近傍に立設された第１の遮蔽体２１ａと、この第１の遮蔽体２１ａの両側にハの字状に立設された一対の第２の遮蔽体２１ｂとからなる。この遮蔽体２１は、電解コンデンサ１０の両側に２段に設けられている。
【００３６】
本実施形態によれば、図１０（ｂ）に示すように、安全弁１６が作動し、電解液の蒸発ガスが噴出すると、蒸発ガスは、第１の遮蔽体２１ａによって、その流れが２方向に分割され、さらに、２方向に分割された流れが第２の遮蔽体２１ｂにより、交差、衝突するように作用させられる。したがって、蒸発ガスの粒子同士が衝突し、凝縮、液状化が加速される。また、２段目の遮蔽体２１によっても同様な作用が生じ、蒸発ガスの液状化が加速され、煙状でのケース本体４からの流出が抑制される。なお、図１０（ｃ）に示すように、第１の遮蔽体２１ａをＶ字状に形成してもよく、この場合は、蒸発ガスの交差、衝突がスムーズに進行することが期待できる。さらに、遮蔽体２１は、少なくとも１段設ければよく、一方、効果を一層向上させるため複数段設けることを妨げるものではない。また、遮蔽体２１は、絶縁シート６を加工成形して形成してもよい。
【００３７】
次に、本発明の第６の実施形態に係る点灯装置について図１１を参照して説明する。図１１は、点灯装置を示す模式的側面図、平面図及び要部を取出して示す平面図である。本実施形態では、第５の実施形態と同様に、制御手段２０を遮蔽体２１によって構成したものである。遮蔽体２１は、電解コンデンサ１０の両側面近傍にハの字状に立設された一対の第１の遮蔽体２１ａと、この一対の第１の遮蔽体２１ａの間隙Ｇの部分に立設された第２の遮蔽体２１ｂとからなる。第１の遮蔽体２１ａは、絶縁シート６を屈曲成形し加工して形成されており、第２の遮蔽体２１ｂは、熱伝導性で板状の放熱部材によって構成されている。
【００３８】
したがって、本実施形態によれば、図１１（ｃ）に示すように、安全弁１６が作動し、電解液の蒸発ガスが噴出すると、蒸発ガスは、第１の遮蔽体２１ａによって、その間隙Ｇ部分にガイドされ集束される。集束された蒸発ガスは、第２の遮蔽体２１ｂに衝突、接触し、冷却されて、凝縮、液状化する。よって、蒸発ガスの煙状でのケース本体４からの流出が抑制される。
【００３９】
本発明の第７の実施形態に係る点灯装置について図１２を参照して説明する。図１２は、点灯装置を示す模式的側面図及び平面図である。本実施形態では、第４の実施形態と同様に、制御手段２０を絶縁シート６ｂで構成したものである。この絶縁シート６ｂは、図２におけるカバー側の絶縁シート６に相当している。絶縁シート６ｂは、電解コンデンサ１０を含め、各回路部品を区画するように仕切って、蛇行状に迂回する流通路を形成している（図１２（ｂ）参照）。
【００４０】
本実施形態によれば、安全弁１６が作動し、電解液の蒸発ガスが外部に噴出すると、蒸発ガスは、絶縁シート６ｂの流通路に沿って迂回して流れ、その流出過程において、粒子同士が衝突し、また、絶縁シート６ｂの内壁面に接触して冷却され、凝縮、液状化される。したがって、蒸発ガスの煙状でのケース本体４からの流出が抑制される。さらに、制御手段２０として、絶縁シート６ｂを用い特別に別部材を設けていないので、構成を簡素化することが可能となる。なお、絶縁シート６ａに替えて、制御手段２０を特別に別部材で構成することを妨げるものではない。
【００４１】
続いて、本発明の第８の実施形態に係る点灯装置について図１３を参照して説明する。図１３は、点灯装置を示す模式的側面図、平面図及び制御手段を示す斜視図である。本実施形態では、制御手段２０を構成するに際し、絶縁シート６ｃを用いて中空のかまぼこ状に形成し（図１３（ｂ）参照）、その下壁面に電解コンデンサ１０の頭部が貫通する貫通孔２２を形成したものである。したがって、絶縁シート６ｃ内は、閉じた空間が形成される。なお、図１３（ｂ）は、絶縁シート６ｃの湾曲した上壁側を除去し、下壁面を現したものである。
【００４２】
本実施形態によれば、安全弁１６が作動し、電解液の蒸発ガスが外部に噴出すると、制御手段２０は、絶縁シート６ｃによって蒸発ガスの流出を封じる領域を構成しているので、蒸発ガスは、絶縁シート６ｃ内の空間を拡散するが、流出が抑制され、絶縁シート６ｃ外へ出て行くことが困難な状態になる。したがって、蒸発ガスの煙状でのケース本体４からの流出が抑制され、この場合、絶縁シート６ｃにより、蒸発ガスは、プリント基板７や回路部品に接触することを防止することが可能であり、回路部品間の短絡等の二次的破損の誘引を防止し、一層安全性を向上することができる。
【００４３】
本発明の第９の実施形態に係る点灯装置について図１４を参照して説明する。図１４は、点灯装置を示す模式的側面図及び平面図である。本実施形態では、前述の第８の実施形態と絶縁シート６ｃの構成が異なる。中空のかまぼこ状の絶縁シート６ｃには、４つの方形の開口６Ｈが形成されている。したがって、絶縁シート６ｃとカバーケース３とで蒸発ガスの流出を封じる領域を構成している。なお、この場合、電解コンデンサ１０の安全弁１６側、すなわち、頭部の絶縁性を確保できれば足りるので、この開口６Ｈは、電解コンデンサ１０の頭部に対応する部分を残して大きく形成してもよい。なお、図１４（ｂ）は、カバーケース３を取外して絶縁シート６ｃの上部を示す平面図である。
【００４４】
したがって、本実施形態によれば、電解液の蒸発ガスが噴出すると、制御手段２０は、蒸発ガスの流出を封じる領域を構成しているので、蒸発ガスは、ケース本体４から外部への流出が抑制される。また、蒸発ガスは、開口６Ｈを通過し、金属製のカバーケース３に接触して流れ、蒸発ガスの冷却が促進され、液状化しやすくなる効果を奏する。
【００４５】
次に、本発明の第１０の実施形態に係る点灯装置について図１５を参照して説明する。図１５は、点灯装置を示す模式的側面図、平面図及び変形例を示す要部側面図である。本実施形態では、平板状の絶縁シート６ｃとカバーケース３とで蒸発ガスの流出を封じる領域を構成している。また、電解コンデンサ１０の頭部の絶縁性を確保するため、電解コンデンサ１０の頭部に対応するカバーケース３の内面に絶縁性のテープ６ｔを貼着したものである。
【００４６】
本実施形態によれば、電解液の蒸発ガスが噴出すると、制御手段２０は、蒸発ガスの流出を封じる領域を構成しているので、蒸発ガスは、ケース本体４から外部への流出が抑制される。また、蒸発ガスは、金属製のカバーケース３に接触して流れ、蒸発ガスの冷却が促進され、液状化しやすくなる。また、電解コンデンサ１０の絶縁性を確保するための部材を最小限にすることができる。なお、このため、図１５（ｃ）に示すように、電解コンデンサ１０の頭部に安全弁１６が作動可能となる程度に構成して絶縁性のテープ６ｔを貼着してもよい。また、絶縁性を確保できれば、テープに限らず、他の部材を適用することができる。
【００４７】
次に、本発明の第１１の実施形態に係る点灯装置について図１７及び図１８を参照して説明する。図１６及び図１７は、住宅用照明器具に点灯装置を用いた場合を示す要部の構成図である。
【００４８】
(実施例１)図１６に示すように、円形状底板４７にプリント基板７が装着されており、プリント基板７には、電解コンデンサ１０が実装されている。電解コンデンサ１０の安全弁１６側には、蒸発ガスを誘導する誘導パイプ２２及びこの誘導パイプ２２に接続された制御手段２０が設けられている。制御手段２０は、例えば、スチールウールや不織布等の繊維状の金属や樹脂部材が充填された筒状をなしており、蒸発ガスは、この制御手段２０を通過するときに、冷却され、液状化される。プリント基板７や制御手段２０は、底板４７と金属製シャーシ４８とから構成されたケース内に収納されている。なお、金属製シャーシ４８には、環状蛍光ランプを保持する保持金具４９が設けられている。
【００４９】
（実施例２）図１７に示すように、実施例１における誘導パイプ２２を底板４７の裏面側まで延出させ、裏面側に配設された渦巻状の制御手段２０に接続したものである。制御手段２０は、蒸発ガスが流通するようにパイプ状であり渦巻状に構成されている。制御手段２０の出口端は、底板４７の裏面側で開放していても、また、底板４７の表面側で開放、つまり、ケース内に開放していてもよい。本実施形態によれば、電解液の蒸発ガスが噴出すると、蒸発ガスは、誘導パイプ２２にガイドされて、渦巻状の制御手段２０に迂回して流出し、その流出過程において冷却され、凝縮、液状化される。なお、制御手段２０は、蒸発ガスの液状化の促進のため、金属等の放熱性を有する材料で構成するのが好ましい。
【００５０】
なお、本発明は、上記各実施形態の構成に限定されることなく、発明の要旨を逸脱しない範囲で種々の変形が可能である。例えば、電気機器としては、点灯装置に限らず、モータを制御する駆動制御装置等にも適用でき、さらに、電解コンデンサを用いる電気回路を備えた他の電気機器にも適用できる。
【図面の簡単な説明】
【００５１】
【図１】点灯装置の基本的構成を示す斜視図である。
【図２】同分解斜視図である。
【図３】電解コンデンサの基本的構成を示す平面図及び正面図である。
【図４】本発明の第１の実施形態に係る点灯装置の要部を示す斜視図である。
【図５】同点灯装置を示すブロック図である。
【図６】同点灯装置を適用した照明器具を示す斜視図である。
【図７】本発明の第２の実施形態に係る点灯装置の要部を示す説明図である。
【図８】本発明の第３の実施形態に係る点灯装置の要部を示す説明図である。
【図９】本発明の第４の実施形態に係る点灯装置を示す側面図及び平面図である。
【図１０】本発明の第５の実施形態に係る点灯装置を示す平面図及び要部を取出して示す平面図である。
【図１１】本発明の第６の実施形態に係る点灯装置を示す側面図、平面図及び要部を取出して示す平面図である。
【図１２】本発明の第７の実施形態に係る点灯装置を示す側面図及び平面図である。
【図１３】本発明の第８の実施形態に係る点灯装置を示す側面図及び平面図である。
【図１４】本発明の第９の実施形態に係る点灯装置を示す側面図及び平面図である
【図１５】本発明の第１０の実施形態に係る点灯装置を示す側面図、平面図及び変形例を示す要部側面図である。
【図１６】本発明の第１１の実施形態（実施例１）に係る点灯装置を示す要部の構成図である。
【図１７】本発明の第１１の実施形態（実施例２）に係る点灯装置を示す要部の構成図である。
【符号の説明】
【００５２】
１・・・電気機器（点灯装置）、４・・・機器ケース（ケース本体）、
１０・・・電解コンデンサ、１０ａ・・・コンデンサ素子、１３・・・ケース、
１６・・・安全弁、２０・・・制御手段、３１・・・電気回路（点灯回路）
【図１】
2010027877.tif 000003
【図２】
2010027877.tif 000004
【図３】
2010027877.tif 000005
【図４】
2010027877.tif 000006
【図５】
2010027877.tif 000007
【図６】
2010027877.tif 000008
【図７】
2010027877.tif 000009
【図８】
2010027877.tif 000010
【図９】
2010027877.tif 000011
【図１０】
2010027877.tif 000012
【図１１】
2010027877.tif 000013
【図１２】
2010027877.tif 000014
【図１３】
2010027877.tif 000015
【図１４】
2010027877.tif 000016
【図１５】
2010027877.tif 000017
【図１６】
2010027877.tif 000018
【図１７】
2010027877.tif 000019